(57)【要約】【課題】固形石けんを収納すると共に、身体等の洗浄の際には効率よく泡を立てることができる固形石けん収納用ネットを提供するものである。【解決手段】固形石けん収納用ネットＡは、固形石けんｂを収納する袋状の内側ネット１と、この内側ネット１の外側面を覆うように設けられた外側ネット２の二重構造とし、内側ネット１の閉塞部３側の外側ネット２の端部９を内側ネット１に拘束しない構成とすることで、外側ネット２を内側ネット１に対してより広範に擦り合わせることができ、内側ネット１の網目の間隙から溶出した石けんと周囲の空気とを巻き込んで効率よく多量の泡を形成することが可能となる。【選択図】図５
0003109976.tif 000002
【実用新案登録請求の範囲】
【請求項１】
固形石けんを収納する袋状の内側ネットと、
この内側ネットの外側面を覆うように設けられた外側ネットと、
を備えた固形石けん収納用ネットであって、
前記内側ネットの開口部側の端部と前記外側ネットの一端部とが接合され、かつ前記外側ネットの他端部は前記内側ネットに固定されていないことを特徴とする固形石けん収納用ネット。
【請求項２】
固形石けんを収納する袋状の内側ネットと、
この内側ネットの外側面を覆うように設けられた外側ネットと、
を備えた固形石けん収納用ネットであって、
前記内側ネットの開口部側の端部と前記外側ネットの一端部とが折り返されて連続して形成され、かつ前記外側ネットの他端部は前記内側ネットに固定されていないことを特徴とする固形石けん収納用ネット。
【請求項３】
袋状のネットの閉塞部が前記ネットの中に位置するように折り返されて形成された固形石けん収納用ネットであって、
折り返された前記固形石けん収納用ネットの内側は固形石けんを収納する内側ネット、外側は外側ネットであり、
前記内側ネットの閉塞部より前記内側ネットの開口部に近い側であって、前記内側ネットの開口部に沿うように前記内側ネットと前記外側ネットを接合して形成された通路と、
この通路内に設けられた紐と、
を備え、
前記内側ネットの閉塞部に近い側の前記外側ネットの端部は前記内側ネットに固定されていないことを特徴とする固形石けん収納用ネット。
【考案の詳細な説明】
【技術分野】
【０００１】
本考案は、身体等の洗浄の際に使用する固形石けんの泡立ちをよくするために用いる固形石けん収納用ネットに関するものである。
【背景技術】
【０００２】
身体等の洗浄の際に固形石けんを用いて泡立てて使用するものとして、矩形状のネットを二重にした構成の固形石鹸用泡立ネットがある（特許文献１の図２、図５、図６参照）。
【０００３】
しかし、このような固形石鹸用泡立ネットにおいては、内側ネットとその外側面を覆う外側ネットとが矩形の二辺乃至四辺を固定されており、前述の内側ネットに対して外側ネットの可動範囲が狭いため十分に擦れず、泡立ちが少ないという問題があった。
【特許文献１】特開２００２−９５６０５号公報
【考案の開示】
【考案が解決しようとする課題】
【０００４】
本考案は前述した問題を解決するためになされたものであり、内側ネットに対して外側ネットの可動範囲を広くすることができ、固形石けんを使用する際に効率よく泡を立てることができる固形石けん収納用ネットを提供するものである。
【課題を解決するための手段】
【０００５】
請求項１に係る手段は、固形石けんを収納する袋状の内側ネットと、この内側ネットの外側面を覆うように設けられた外側ネットと、を備えた固形石けん収納用ネットであって、前記内側ネットの開口部側の端部と前記外側ネットの一端部とが接合され、かつ前記外側ネットの他端部は内側ネットに固定されていない構成の固形石けん収納用ネットである。
【０００６】
請求項２に係る手段は、固形石けんを収納する袋状の内側ネットと、この内側ネットの外側面を覆うように設けられた外側ネットと、を備えた固形石けん収納用ネットであって、前記内側ネットの開口部側の端部と前記外側ネットの一端部とが折り返されて連続して形成され、かつ前記外側ネットの他端部は内側ネットに固定されていない構成の固形石けん収納用ネットである。
【０００７】
請求項３に係る手段は、袋状のネットの閉塞部が前記ネットの中に位置するように折り返されて形成された固形石けん収納用ネットであって、折り返された前記固形石けん収納用ネットの内側は固形石けんを収納する内側ネット、外側は外側ネットであり、前記内側ネットの閉塞部より前記内側ネットの開口部に近い側であって、前記内側ネットの開口部に沿うように前記内側ネットと前記外側ネットを接合して形成された通路と、この通路内に設けられた紐と、を備え、前記内側ネットの閉塞部に近い側の前記外側ネットの端部は前記内側ネットに固定されていない構成の固形石けん収納用ネットである。
【考案の効果】
【０００８】
請求項１に記載の固形石けん収納用ネットとすることで、内側ネットの閉塞部に近い側の外側ネットの端部は内側ネットに固定されていないため内側ネットに対する外側ネットの可動範囲を広くすることができ、外側ネットを内側ネットに十分に擦り合わせることができるため、内側ネットの網目の間隙から溶出した石けんと周囲の空気とを巻き込んで多量の泡を形成することが可能となる。
【０００９】
請求項２に記載の固形石けん収納用ネットとすることで、前述した請求項１に記載の考案の効果に加え、一の筒状のネットを折り返して連続して内側ネットと外側ネットとを形成できるため、容易に固形石けん収納用ネットを形成することが可能となる。
【００１０】
請求項３に記載の固形石けん収納用ネットとすることで、前述した請求項１または請求項２に記載の考案の効果に加え、固形石けんが固形石けん収納用ネットから抜け出ないように確実に保持することが可能となる。
【考案を実施するための最良の形態】
【００１１】
本考案を実施するための形態を図１〜図７に基づき説明する。
【実施例１】
【００１２】
本考案の一実施例を図１〜図３に示した。本実施例の固形石けん収納用ネットＡは、固形石けんｂを収納する内側ネット１と、その外側面を覆う外側ネット２を備えている。
【００１３】
内側ネット１は、例えばプラスチック素材をネット状かつ筒状に成形し、該筒状の一方の開口端を溶着あるいは結束バンド等で閉塞し固形石けんを収納できるように袋状としてある。また、内側ネット１の大きさは固形石けんｂと同程度の大きさに形成され、洗浄時に固形石けんに密着するようにしてある。
【００１４】
外側ネット２は、例えば内側ネット１と同様な材料であってネット状かつ筒状のものが用いられ、内側ネット１の外側面を覆って内側ネット１の開口部８側の周縁と外側ネット２の開口部８側の周縁同士が溶着等により一体的に設けられ接合部４を形成している。また、外側ネット２の大きさは内側ネット１の外側面の略全面に当接する程度の大きさとしてある。これは固形石けんｂを使用する際に外側ネット２が内側ネット１に当接して擦り合わせるようにするためである。
【００１５】
次に、本実施例の固形石けん収納用ネットＡの使用方法について説明する。まず、内側ネット１の開口部８から固形石けんｂを収納する。そして、お湯などに固形石けん収納用ネットＡを浸した後、両手で外側ネット２を挟んで前後上下に動かすことで外側ネット２が内側ネット１に擦れて多量の泡が形成される。この泡を用いて身体等を洗えば泡の作用により、より効果的に洗浄することができる。
【００１６】
ところで、本実施例において固形石けん収納用ネットＡを内側ネット１と外側ネット２の二重構造としたのは、固形石けんｂに張り付き易い内側ネット１の外側面上に外側ネット２を覆うように設けることで、内側ネット１に対して外側ネット２を相対的に動かすことができ、内側ネット１の網目の間隙から溶出した石けんが外側ネット２の擦動によって周囲の空気を巻き込んで多量の泡を形成するためである。
【００１７】
また、閉塞部３側の外側ネット２の端部９を内側ネット１に固定しない構成としたのは、以下の理由による。つまり、従来の石けん用ネットにおいては、図３（ａ）に示したように、外側ネット２の開口部８側は接合部４で内側ネット１に固定され、外側ネット２の開口部８と反対側も閉塞部３で内側ネット１に固定されているため、外側ネット２の略中央部の位置イを内側ネット１に対して距離Ｌ１動かしても外側ネット２の閉塞部３に近い位置ロは内側ネット１に対して殆ど動かない（距離Ｌ２）。
【００１８】
一方、本考案の固形石けん収納用ネットＡにおいては、図３（ｂ）に示したように、外側ネット２の開口部８側は接合部４で内側ネット１に固定されているものの、外側ネット２の開口部８と反対側（端部９）は内側ネット１に固定されていないため、前述の従来の石けん用ネットと同様に外側ネット２の略中央部の位置イ’を内側ネット１に対して距離Ｌ１’（距離Ｌ１’＝距離Ｌ１）動かした場合、前述の位置ロに対応する外側ネット２の位置ロ’は内側ネット１に対して距離Ｌ２’（距離Ｌ２’≫距離Ｌ２）動かすことができる。
【００１９】
したがって、内側ネット１に対する外側ネット２の可動範囲を広くすることができ、その結果、内側ネット１の網目の間隙から溶出した石けんと周囲の空気とを効率よく混合して多量の泡を形成することが可能となる。
【実施例２】
【００２０】
本考案の実施例２について図４を用いて説明する。なお、同一部分には同一符号を付し、その説明は省略する。
【００２１】
本実施例は実施例１と同様に内側ネット１と外側ネット２を備えているが、実施例１の接合部４を他の形態とした点で異なるものである。
【００２２】
図４は図１のＢ−Ｂ線による縦断面図に相当する部位の縦断面図を表したものであり、実施例１の接合部４に相当する部位は内側ネット１の開口部８側の端部と外側ネット２の開口部８側の端部とが折り返されて連続して一体的に形成されている（折返部５）。したがって、一つの筒状のネットを用いることにより内側ネット１と外側ネット２を容易に形成することができる。なお、作用・効果は実施例１と同様である。
【実施例３】
【００２３】
本考案の実施例３について図５〜図７を用いて説明する。なお、同一部分に同一符号を付し、その説明は省略する。
【００２４】
本実施例は実施例２の構成に加え、図５および図６に示したように開口部８に近い側に開口部８に沿うように内側ネット１と外側ネット２を接合部６で接合して通路１０が形成され、この通路１０内に紐７が設けられている。
【００２５】
この紐７は、例えば繊維材料やゴムなどの伸縮性を有するものが用いられ環状に形成されており、固形石けんｂを内側ネット１内に入れた後、この紐７により開口部８を閉じて使用される（図７参照）。
【００２６】
また、前述の接合は、例えば内側ネット１と外側ネット２を重ねて溶着したり、あるいは一本または複数本の細線を用いて内側ネット１と外側ネット２を重ねて編み込んだりする方法が用いられる。
【００２７】
ところで、本実施例において紐７を設けて開口部８を閉じられる構成としたのは、例えば使用するにつれて固形石けんが小さくなっても開口部８から抜け出ないように確実に保持するためである。また、内側ネット１と外側ネット２を利用して紐７を通す通路１０を形成することで、簡易な構成の固形石けん収納用ネットＡを作製することが可能となる。また更に、未使用時にはこの紐７を洗面台のフック等に引っ掛けて固形石けん収納用ネットＡを保管してもよい。
【図面の簡単な説明】
【００２８】
【図１】本考案の実施例１の固形石けん収納用ネットを示す斜視図である。
【図２】図１のＢ−Ｂ線による縦断面図である。
【図３】使用時の作用を説明するための正面図であって、図３（ａ）は従来の固形石けん収納用ネット、図３（ｂ）は図１の固形石けん収納用ネットを示す図である。
【図４】本考案の実施例２の縦断面図である。
【図５】本考案の実施例３の固形石けん収納用ネットを示す斜視図である。
【図６】図５のＣ−Ｃ線による縦断面図である。
【図７】実施例３の使用時の固形石けん収納用ネットを示す斜視図である。
【符号の説明】
【００２９】
Ａ    固形石けん収納用ネット
ｂ    固形石けん
１    内側ネット
２    外側ネット
５    折返部
６    接合部
７    紐
８    開口部
１０  通路
【図１】
0003109976.tif 000003
【図２】
0003109976.tif 000004
【図３】
0003109976.tif 000005
【図４】
0003109976.tif 000006
【図５】
0003109976.tif 000007
【図６】
0003109976.tif 000008
【図７】
0003109976.tif 000009